(57)【要約】【課題】本発明は、薄型化が強化された筐体にロック装置を無理なく接続することができ、しかも、筐体の周壁の損傷を防止できる電子機器を得ることにある。【解決手段】電子機器は、開口部(18)が形成された側壁(4d)を有する筐体(4)と、筐体(4)に支持されたロックプレート(12)とを備えている。ロックプレート(12)は、筐体(4)内に格納される第１の位置と、開口部(18)を通じて筐体(4)の外に突出される第２の位置との間でスライド可能である。ロックプレート(12)のうち第２の位置にスライドされた時に筐体(4)の外に露出される部分に、盗難防止用のロック装置(42)が接続される鍵穴(41)が形成されている。ロックプレート(12)は、少なくとも第２の位置にスライドされた時に、ストッパ機構(27)によって第２の位置に保持される。【選択図】図９
2011002935.tif 000002
【特許請求の範囲】
【請求項１】
開口部が形成された周壁を有する筐体と、
前記筐体内に格納される第１の位置と、前記開口部を通じて前記筐体の外に突出される第２の位置との間でスライド可能に上記筐体に支持され、前記第２の位置にスライドされた時に前記筐体の外に露出される部分に、盗難防止用のロック装置が接続される鍵穴を有するロックプレートと、
前記ロックプレートが少なくとも前記第２の位置にスライドされた時に、前記ロックプレートを前記第２の位置に保持するストッパ機構と、を具備し、
前記第２の位置にスライドされた前記ロックプレートの鍵穴に前記ロック装置を接続することで、前記ロック装置を用いて前記筐体の盗難を防止することを特徴とする電子機器。
【請求項２】
請求項１の記載において、前記ロックプレートは、そのスライド方向に沿う側縁と、この側縁に形成された凹部とを有し、前記ストッパ機構は、前記ロックプレートが前記第２の位置にスライドされた時に、前記凹部に嵌合することで前記ロックプレートのスライドを制限する嵌合部を有することを特徴とする電子機器。
【請求項３】
請求項２の記載において、前記ストッパ機構は、前記嵌合部を前記ロックプレートに向けて付勢する弾性部材を含むことを特徴とする電子機器。
【請求項４】
請求項３の記載において、前記ロックプレートの凹部は、前記ロックプレートを前記第２の位置から前記第１の位置に向けてスライドさせた時に前記嵌合部に接する縁部を有し、この縁部は、前記方向へのロックプレートのスライドに伴って前記嵌合部を前記凹部から押し出す方向に傾斜されていることを特徴とする電子機器。
【請求項５】
請求項１の記載において、前記鍵穴の一部は、前記ロックプレートが前記第１の位置にスライドされた時に前記開口部から前記筐体の外に露出されていることを特徴とする電子機器。
【請求項６】
請求項１の記載において、前記ロックプレートを前記筐体との間で挟み込む保持板をさらに備えており、前記保持板は、前記ロックプレートに開けた前記ロックプレートのスライド方向に沿う長孔に摺動可能に嵌合する凸部を有することを特徴とする電子機器。
【請求項７】
請求項１の記載において、前記第２の位置にスライドされた前記ロックプレートの鉤孔に前記ロック装置を接続した状態では、前記ロック装置と前記筐体の周壁との間に隙間が存在することを特徴とする電子機器。
【請求項８】
開口部が形成された周壁を有する筐体と、
前記筐体内に格納される第１の位置と、前記開口部を通じて前記筐体の外に突出される第２の位置との間でスライド可能に上記筐体に支持され、前記第２の位置にスライドされた時に前記筐体の外に露出される部分に、盗難防止用のロック装置が接続される鍵穴を有するとともに、スライド方向に沿う側縁に第１の凹部および第２の凹部が形成されたロックプレートと、
前記ロックプレートが前記第１の位置にスライドされた時に前記第１の凹部に嵌合することで前記ロックプレートを前記第１の位置に保持し、前記ロックプレートが前記第２の位置にスライドされた時に第２の凹部に嵌合することで前記ロックプレートを前記第２の位置に保持するストッパ機構と、を具備し、
前記第２の位置にスライドされた前記ロックプレートの鍵穴に前記ロック装置を接続することで、前記ロック装置を用いて前記筐体の盗難を防止することを特徴とする電子機器。
【請求項９】
請求項８の記載において、前記ストッパ機構は、前記第１の凹部および前記第２の凹部に嵌合することで前記ロックプレートのスライドを制限する嵌合部と、この嵌合部を前記ロックプレートに向けて付勢する弾性部材と、を含むことを特徴とする電子機器。
【請求項１０】
請求項９の記載において、前記ロックプレートの第１の凹部は、前記ロックプレートを前記第１の位置から前記第２の位置に向けてスライドさせた時に前記嵌合部に突き当たる縁部を有し、この縁部は、前記方向へのロックプレートのスライドに伴って前記嵌合部を前記第１の凹部から押し出す方向に傾斜されているとともに、
前記ロックプレートの第２の凹部は、前記ロックプレートを前記第２の位置から前記第１の位置に向けてスライドさせた時に前記嵌合部に接する縁部を有し、この縁部は、前記方向へのロックプレートのスライドに伴って前記嵌合部を前記凹部から押し出す方向に傾斜されていることを特徴とする電子機器。
【請求項１１】
開口部が形成された周壁を有する筐体と、
前記筐体内に格納される第１の位置と、前記開口部を通じて前記筐体の外に突出される第２の位置との間で移動可能に上記筐体に支持され、前記第２の位置に移動された時に前記筐体の外に露出される部分に、盗難防止用のロック装置が接続される鍵穴を有するロックプレートと、
前記ロックプレートが前記第２の位置に移動された時に、前記ロックプレートを前記第２の位置に保持するストッパ機構と、を具備することを特徴とする電子機器。
【発明の詳細な説明】
【技術分野】
【０００１】
本発明は、ケンジントンロック又はセキュリティケーブルと称する盗難防止用のロック装置が接続されるロックプレートを有する電子機器に関する。
【背景技術】
【０００２】
ポータブルコンピュータのような携帯が可能な電子機器は、セキュリティロック用のスロットを備えている。スロットは、ケンジントンロック又はセキュリティケーブルと称する盗難防止用のロック装置を接続するためのものであって、電子機器の外郭となる筐体の周壁に形成されている。
【０００３】
ロック装置は、強靭なワイヤーと、このワイヤーの一端に固定されたロックシリンダとを備えている。ロックシリンダは、筐体のスロットに挿入可能な鉤を有している。鉤は、ロックキーを用いてスロットと直交し合うロック位置に回動可能であり、この回動により鉤が筐体の周壁に引っ掛かるようになっている。
【０００４】
そのため、ワイヤーを例えばオフィスの机のような固定物に巻き付けた後、ロックシリンダの鉤を筐体のスロットに挿入してロック位置に回動させることで、電子機器と固定物との間をワイヤーで繋ぎ止めておくことができる。よって、電子機器の自由な移動や持ち出しが制限され、電子機器の盗難を防止することができる。
【０００５】
ところで、最近の電子機器は、商品価値や携帯性を高めるために、筐体の薄型化が強化されている。筐体の薄型化を追求した電子機器では、筐体にロックシリンダの鉤を接続するスペースを確保することが困難となり、ロック装置の接続に苦慮することがあり得る。
【０００６】
この問題を改善するため、例えば特許文献１に開示された電子機器では、筐体の上面とキーボードのキートップとの間にスライド板を配置している。スライド板は、各キーに対応する位置に作動阻止部を有している。スライド板は、作動阻止部がキーの裏側の空間に入り込む第１の位置と、作動阻止部がキーの縁部に下に位置する第２の位置との間でスライド可能となっている。
【０００７】
スライド板が第２の位置にスライドされた状態では、スライド板の一端部が筐体の側面を貫通して筐体の側方に突き出ている。このスライド板の一端部に貫通孔が形成されている。貫通孔は南京錠の掛け金を差し込むためのものであり、筐体の側面に近接している。南京錠は、机等の容易に移動できない物体に固定するためのチェーンあるいはワイヤを有している。
【０００８】
したがって、スライド板を第１の位置から第２の位置にスライドさせて、貫通孔が形成されたスライド板の一端部を筐体から引き出すことで、スライド板に南京錠を取り付けることができる。そのため、薄型化が強化された筐体であっても、この筐体に無理なく南京錠を取り付けることができる。
【先行技術文献】
【特許文献】
【０００９】
【特許文献１】特開２０００−５６８５７号公報
【発明の概要】
【発明が解決しようとする課題】
【００１０】
特許文献１によると、南京錠が取り付けられたスライド板を第２の位置から第１の位置に向けてスライドさせた場合、南京錠が筐体の側面に当接する。この当接により、スライド板を第１の位置までスライドさせることができなくなり、スライド板の作動阻止部によってキーが操作不能の状態にロックされる。
【００１１】
しかしながら、南京錠を筐体の側面に当接させることで、スライド板のスライドを制限する構成では、南京錠が当接する筐体の側面が傷付き易くなる。このため、電子機器の体裁が悪くなる。
【００１２】
本発明の目的は、薄型化が強化された筐体に盗難防止用のロック装置を無理なく接続することができ、しかも、筐体の周壁の損傷を防止できる電子機器を得ることにある。
【課題を解決するための手段】
【００１３】
前記目的を達成するため、本発明の一つの形態に係る電子機器は、  
開口部が形成された周壁を有する筐体と、  
前記筐体内に格納される第１の位置と、前記開口部を通じて前記筐体の外に突出される第２の位置との間でスライド可能に前記筐体に支持され、前記第２の位置にスライドされた時に前記筐体の外に露出される部分に、盗難防止用のロック装置が接続される鍵穴を有するロックプレートと、  
前記ロックプレートが少なくとも前記第２の位置にスライドされた時に、前記ロックプレートを前記第２の位置に保持するストッパ機構と、を備えており、  
前記第２の位置にスライドされた前記ロックプレートの鍵穴に前記ロック装置を接続することで、前記ロック装置を用いて前記筐体の盗難を防止することを特徴としている。
【発明の効果】
【００１４】
本発明によれば、ロックプレートを第２の位置にスライドさせることで、このロックプレートに盗難防止用のロック装置を無理なく接続することができる。しかも、ロック装置を筐体の周壁に当接させることなくロックプレートを第２の位置に保持することができ、筐体の周壁の損傷を防止できる。
【図面の簡単な説明】
【００１５】
【図１】本発明の実施の形態に係るポータブルコンピュータの斜視図。
【図２】本発明の実施の形態において、第２の位置にスライドされたロックプレートにロック装置を接続した状態を示す斜視図。
【図３】本発明の実施の形態において、第２の位置にスライドされたロックプレートにロック装置を接続した状態を筐体の下方から見た斜視図。
【図４】本発明の実施の形態において、第１の筐体要素にロックプレートを組み込んだ状態を示す斜視図。
【図５】図４のＡ部を拡大して示す斜視図。
【図６】本発明の実施の形態において、第１の筐体要素にロックプレートを取り付けた状態を示す断面図。
【図７】本発明の実施の形態において、ロックプレートが第１の位置に保持された状態を示す平面図。
【図８】本発明の実施の形態において、ロックプレートが第１の位置と第２の位置との間の中間位置にスライドされた状態を示す平面図。
【図９】本発明の実施の形態において、ロックプレートが第２の位置に保持された状態を示す平面図。
【図１０】本発明の実施の形態において、第１の位置に保持されたロックプレートの鍵穴と筐体の開口部との位置関係を示す平面図。
【発明を実施するための形態】
【００１６】
以下本発明の実施の形態を図１ないし図１０に基づいて説明する。
【００１７】
図１は、電子機器の一例であるポータブルコンピュータ１を開示している。ポータブルコンピュータ１は、コンピュータ本体２とディスプレイモジュール３とで構成されている。
【００１８】
コンピュータ本体２は、筐体４を備えている。筐体４は、底壁４ａ、上壁４ｂ、左右の側壁４ｃ，４ｄ、前壁４ｅおよび後壁４ｆを有するフラットな箱状をなしている。側壁４ｃ，４ｄ、前壁４ｅおよび後壁４ｆは、筐体４の周方向に連続する周壁を構成している。図４に示すように、側壁４ｃ，４ｄは、底壁４ａの側縁から上方に向けて張り出すとともに、円弧状に湾曲されている。さらに、上壁４ｂは、キーボード５を支持している。
【００１９】
筐体４は、底壁４ａ、左右の側壁４ｃ，４ｄ、前壁４ｅおよび後壁４ｆを含む第１の筐体要素６と、上壁４ｂを含む第２の筐体要素７とで構成されている。第１の筐体要素６および第２の筐体要素７は、互いに組み合わされるとともに複数のねじ（図示せず）を介して結合されている。
【００２０】
図１に示すように、ディスプレイモジュール３は、ディスプレイ筐体１０と液晶ディスプレイパネル１１とを備えている。ディスプレイ筐体１０は、コンピュータ本体２の筐体４と略同じ大きさを有するフラットな箱状をなしている。液晶ディスプレイパネル１１は、ディスプレイ筐体１０に収容されているとともに、画像情報や文字情報を表示するスクリーン１１ａを有している。スクリーン１１ａは、ディスプレイ筐体１０の前面からディスプレイ筐体１０の外に露出している。
【００２１】
ディスプレイモジュール３は、コンピュータ本体２の後端部に図示しないヒンジを介して支持されている。これにより、ディスプレイモジュール３は、キーボード５を覆うようにコンピュータ本体２の上に横たわる閉じ位置と、キーボード５およびスクリーン１１ａを露出させるようにコンピュータ本体２の後端部から起立する開き位置との間で回動可能となっている。
【００２２】
図４ないし図６に示すように、コンピュータ本体２の筐体４は、ロックプレート１２を備えている。ロックプレート１２は、平坦な四角い金属板で構成されている。ロックプレート１２は、一対の側縁１３ａ，１３ｂと、側縁１３ａ，１３ｂの一端の間を結ぶ一端縁１３ｃと、側縁１３ａ，１３ｂの他端の間を結ぶ他端縁１３ｄとを有している。側縁１３ａ，１３ｂは、筐体４の幅方向に沿って互いに平行に延びている。
【００２３】
さらに、ロックプレート１２は、第１の長孔１５ａおよび第２の長孔１５ｂを有している。第１および第２の長孔１５ａ，１５ｂは、ロックプレート１２の側縁１３ａ，１３ｂに沿うように互いに間隔を存して平行に配置されている。
【００２４】
ロックプレート１２は、第１の筐体要素６の後端の右側部に一体的に組み込まれている。図５ないし図７は、ロックプレート１２の支持構造を示している。図６および図８に示すように、第１の筐体要素６の底壁４ａは、一対のガイド壁１６ａ，１６ｂと一対のガイドレール１７ａ，１７ｂとを備えている。ガイド壁１６ａ，１６ｂは、筐体４の幅方向に延びるように底壁４ａの内面から起立するとともに、互いに間隔を存して平行に配置されている。ガイド壁１６ａ，１６ｂの一端は、右側の側壁４ｄの内面に連なっている。
【００２５】
右側の側壁４ｄは、ガイド壁１６ａ，１６ｂの間に開口する開口部１８を有している。開口部１８は、筐体４の奥行き方向に延びるスリット状をなしている。開口部１８は、側壁４ｄの湾曲に伴って筐体４の右側方から下方に向けて開口している。
【００２６】
ガイドレール１７ａ，１７ｂは、ガイド壁１６ａ，１６ｂの間で底壁４ａの内面から起立している。ガイドレール１７ａ，１７ｂは、筐体４の幅方向に延びるとともに、互いに間隔を存して平行に配置されている。
【００２７】
さらに、底壁４ａの内面にガイド突起１９およびボス部２０が形成されている。ガイド突起１９は、ガイドレール１７ａ，１７ｂの間で底壁４ａから起立している。ボス部２０は、ガイドレール１７ａ，１７ｂの間でガイド突起１８と隣り合っている。ボス部２０は、底壁４ａから上向きに突出するとともに、第１の筐体要素６の下方に向けて開口している。
【００２８】
ロックプレート１２は、ガイド壁１６ａ，１６ｂの間でガイドレール１７ａ，１７ｂの上に摺動可能に載置されている。これにより、ロックプレート１２の側縁１３ａ，１３ｂがガイド壁１６ａ，１６ｂに摺動可能に接しているとともに、このロックプレート１２の第１の長孔１５ａにガイド突起１９が摺動可能に入り込んでいる。
【００２９】
図６に示すように、ロックプレート１２の上に保持板２２が配置されている。保持板２２は、ガイドレール１７ａ，１７ｂとの間でロックプレート１２を摺動可能に挟み込んでいる。保持板２２は、円柱状の凸部２３を有している。凸部２３は、保持板２２の下面から突出するとともに、ロックプレート１２の第２の長孔１５ｂに摺動可能に嵌まり込んでいる。
【００３０】
さらに、凸部２３は、底壁４ａから上向きに突出するボス部２０と合致している。ボス部２０に第１の筐体要素６の下方からねじ２４が挿入されている。ねじ２４は、凸部２３にねじ込まれて、保持板２２を第１の筐体要素６に固定している。
【００３１】
これにより、ロックプレート１２は、第１の長孔１５ａとガイド突起１９との嵌合部分および第２の長孔１５ｂと凸部２３との嵌合部分をガイドとして筐体４の幅方向にスライド可能に筐体４に支持されている。具体的には、ロックプレート１２は、筐体４の内部に格納される第１の位置と、開口部１８を通じて筐体４の外に突出する第２の位置との間でスライド可能となっている。
【００３２】
図７は、ロックプレート１２が第１の位置にスライドされた状態を示している。第１の位置では、ガイド突起１９が第１の長孔１５ａの一端に突き当たり、凸部２３が第２の長孔１５ｂの一端に突き当たっている。
【００３３】
図９は、ロックプレート１２が第２の位置にスライドされた状態を示している。第２の位置では、ガイド突起１９が第１の長孔１５ａの他端に突き当たり、凸部２３が第２の長孔１５ｂの他端に突き当たっている。
【００３４】
そのため、ロックプレート１２のスライド範囲は、第１および第２の長孔１５ａ，１５ｂの長さによって定められている。
【００３５】
ロックプレート１２が第１の位置にスライドされた状態では、ロックプレート１２の他側縁１３ｄが開口部１８に位置している。ロックプレート１２が第２の位置にスライドされた状態では、ロックプレート１２の他端縁１３ｄから中間部までの領域が開口部１８から筐体４の外に飛び出している。
【００３６】
図５および図７に示すように、ロックプレート１２の一方の側縁１３ａに第１の凹部２６ａおよび第２の凹部２６ｂが形成されている。第１の凹部２６ａおよび第２の凹部２６ｂは、ロックプレート１２のスライド方向に互いに離れている。
【００３７】
さらに、第１の筐体要素６の底壁４ａの上にストッパ機構２７が設置されている。ストッパ機構２７は、第１および第２の凹部２６ａ，２６ｂと協働してロックプレート１２を第１の位置および第２の位置に保持するためのものである。
【００３８】
図６および図７に示すように、ストッパ機構２７は、スライダ２８と圧縮コイルスプリング２９とを備えている。スライダ２８は、底壁４ａに支持されている。底壁４ａは、一方のガイド壁１６ａの近くに図５に示すようなスライドガイド３０を有している。スライドガイド３０は、ロックプレート１２のスライド方向と直交するように第１の筐体要素６の奥行き方向に延びるガイド溝３１を規定している。
【００３９】
ガイド溝３１は、一方のガイド壁１６ａに開けた連通口３２を通じてロックプレート１２の一方の側縁１３ａと向かい合っている。連通口３２は、ロックプレート１２が第１の位置にスライドされた時に、ロックプレート１２の第１の凹部２６ａと合致する。同様に、連通口３２は、ロックプレート１２が第２の位置にスライドされた時に、ロックプレート１２の第２の凹部２６ｂと合致する。
【００４０】
スライダ２８は、スライドガイド３０のガイド溝３１に嵌合されて、ロックプレート１２のスライド方向と直交する方向に直線的に往復動可能に第１の筐体要素６に支持されている。スライダ２８は、ロックプレート１２の第１および第２の凹部２６ａ，２６ｂに嵌合する嵌合部３４を有している。嵌合部３４は、連通口３２を通じてガイド壁１６ａ，１６ｂの間に出入り可能となっている。
【００４１】
図６に示すように、嵌合部３４は、ロックプレート１２の一方の側縁１３ａが貫通するスリット３５を有し、ロックプレート１２の側縁１３ａをロックプレート１２の厚み方向に摺動可能に挟み込んでいる。さらに、圧縮コイルスプリング２９は、弾性部材の一例であって、スライダ２８をロックプレート１２に近づく方向に付勢している。
【００４２】
これにより、ロックプレート１２が第１の位置にスライドされた状態では、スライダ２８の嵌合部３４がロックプレート１２の第１の凹部２６ａに弾性的に嵌合する。この嵌合により、ロックプレート１２が第１の位置に保持される。
【００４３】
同様に、ロックプレート１２が第２の位置にスライドされた状態では、スライダ２８の嵌合部３４がロックプレート１２の第２の凹部２６ｂに弾性的に嵌合する。この嵌合により、ロックプレート１２が第２の位置に保持される。
【００４４】
図７および図８に示すように、第１の凹部２６ａは、第２の凹部２６ｂと隣り合う縁部３８を有している。縁部３８は、ロックプレート１２を第１の位置から第２の位置に引き出そうとした時に、嵌合部３４に突き当たってロックプレート１２の自由な動きを制限する部分である。この縁部３８は、第１の凹部２６ａの終端から第２の凹部２６ｂに近づく方向に傾斜している。
【００４５】
図８および図９に示すように、第２の凹部２６ｂは、第１の凹部２６ａと隣り合う縁部３９を有している。縁部３９は、ロックプレート１２を第２の位置から第１の位置に押圧しようとした時に、嵌合部３４に突き当たってロックプレート１２の自由な動きを制限する部分である。この縁部３９は、第２の凹部２６ｂの終端から第１の凹部２６ａに近づく方向に傾斜している。
【００４６】
図１および図３に示すように、ロックプレート１２は、セキュリティロック用の鍵穴４１を備えている。鍵穴４１は、ロックプレート１２の他端縁１３ｄの隣に位置されており、ロックプレート１２が第２の位置にスライドされた時に、筐体４の外に完全に露出するようになっている。さらに、ロックプレート１２が第１の位置にスライドされた状態においては、図１０に示すように鍵穴４１の一部が開口部１８から筐体４の下方に向けて露出するようになっている。
【００４７】
鍵穴４１は、例えばケンジントンロック又はセキュリティケーブルと称する盗難防止用のロック装置４２を接続するためのものであって、ロックプレート１２の他端縁１３ｄと平行な細長い開口形状を有している。
【００４８】
図２および図３に最もよく示されるように、ロック装置４２は、破壊工作に耐え得る強靭な金属製ケーブル４３と、このケーブル４３の一端に固定されたロックシリンダ４４とを備えている。
【００４９】
ロックシリンダ４４は、鍵穴４１に挿入可能なＴ形の鉤４５を有している。鉤４５は、ロックシリンダ４４に差し込まれたロックキー４６を操作することで、ロック解除位置とロック位置との間で９０°回動可能となっている。
【００５０】
次に、ロック装置４２をポータブルコンピュータ１に接続する手順について説明する。
【００５１】
ポータブルコンピュータ１にロック装置４２を接続する以前の段階では、ロックプレート１２は、第１の位置にスライドされて筐体４の内部に格納されている。第１の位置では、図７に示すように、スライダ２８の嵌合部３４がロックプレート１２の第１の凹部２６ａに嵌合することで、ロックプレート１２を第１の位置に保持している。それとともに、図１０に示すように、ロックプレート１２の鍵穴４１の一部が開口部２８を通じて筐体４の下方に向けて露出している。
【００５２】
ロックプレート１２を第１の位置から第２の位置にスライドさせるには、まず、開口部１８から露出している鍵穴４１の一部に手の指先又はドライバのような工具の先端を引っ掛けて、ロックプレート１２を開口部１８から引き出す。
【００５３】
この際、第１の凹部２６ａの縁部３８がスライダ２８の嵌合部３４に突き当たるので、一時的にロックプレート１２の引き出しを妨げようとする抵抗が付与される。しかるに、縁部３８は、ロックプレート１２の引き出し方向とは反対側に位置する第２の凹部２６ｂに向けて傾いている。
【００５４】
このため、縁部３８が嵌合部３４に突き当たった時点でロックプレート１２を強く引っ張ると、縁部３８の傾斜に伴って嵌合部３４が圧縮コイルスプリング２９の付勢力に抗して第１の凹部２６ａから押し出されていく。
【００５５】
これにより、ロックプレート１２の引き出し動作に追従して第１の凹部２６ａに対する嵌合部３４の嵌合が自動的に解除される。よって、ロックプレート１２を第１の位置から第２の位置に向けて容易にスライドさせることができる。
【００５６】
図９に示すように、ロックプレート１２が第２の位置に達すると、ロックプレート１２の第２の凹部２６ｂが連通口３２と向かい合うとともに、スライダ２８の嵌合部３４が第２の凹部２６ｂに嵌合する。この嵌合により、ロックプレート１２が第２の位置に保持される。
【００５７】
ロックプレート１２が第２の位置にスライドされた状態では、鍵穴４１を有するロックプレート１２の端部が筐体４の側方に飛び出している。そのため、ロック装置４２の鉤４５をロックプレート１２の上方から鍵穴４１に挿入することができる。
【００５８】
鉤４５を鍵穴４１に挿入した後、鉤４５をロック解除位置からロック位置に回動させると、鉤４５が鍵穴４１と直交する向きとなってロックプレート１２に引っ掛かる。これにより、ロックシリンダ４４がロックプレート１２に接続される。
【００５９】
したがって、ケーブル４３を例えばオフィスの机のような移動が困難な固定物に巻き付けた後、上記のような手順でロックシリンダ４４の鉤４５をロックプレート１２に接続することで、ポータブルコンピュータ１を固定物に繋ぎ止めておくことができる。これにより、ポータブルコンピュータ１の自由な持ち出しや移動が制限され、ポータブルコンピュータ１の盗難を防止することができる。
【００６０】
図２に示すように、ロックシリンダ４４をロックプレート１２に接続した状態では、ロックシリンダ４４は、その軸線が鉛直方向に沿うようにロックプレート１２の上で起立している。さらに、ロックシリンダ４４の外周面と筐体４の側壁４ｄとの間には、所定の隙間ｇが確保されている。この隙間ｇの存在により、ロックシリンダ４４と筐体４との干渉が阻止されている。
【００６１】
言い換えると、ロックプレート１２は、鍵穴４５に接続されたロックシリンダ４４が筐体４の側壁４ｄに接しない位置まで筐体４の側方に引き出されている。
【００６２】
一方、鉤４５をロック位置からロック解除位置に回動させると、ロック装置４２をロックプレート１２から取り外すことができる。ロックプレート１２からロック装置４２を取り外した状態では、ロックプレート１２が邪魔とならないようにロックプレート１２を第２の位置から第１の位置に向けて押し込む。
【００６３】
この際、図９に示すように第２の凹部２６ｂの縁部３９がスライダ２８の嵌合部３４に突き当たるので、一時的にロックプレート１２の押し込みを妨げようとする抵抗が付与される。しかるに、縁部３９は、ロックプレート１２の押し込み方向とは反対側に位置する第１の凹部２６ａに向けて傾いている。
【００６４】
このため、縁部３９が嵌合部３４に突き当たった時点でロックプレート１２を強く押し込むと、縁部３９の傾斜に伴って嵌合部３４が圧縮コイルスプリング２９の付勢力に抗して第２の凹部２６ｂから押し出されていく。
【００６５】
これにより、ロックプレート１２の押し込み動作に追従して第２の凹部２６ｂに対する嵌合部３４の嵌合が自動的に解除される。よって、ロックプレート１２を第２の位置から第１の位置に向けて容易にスライドさせることができる。
【００６６】
ロックプレート１２が第１の位置に達すると、スライダ２８の嵌合部３４が第１の凹部２６ａに嵌合する。この嵌合により、ロックプレート１２が第１の位置に保持されて、筐体４の内部に格納される。
【００６７】
このような構成によれば、鍵穴４１を有するロックプレート１２の端部を筐体４の外に引き出すことで、鍵穴４１にロック装置４２を接続することができる。そのため、例えば筐体４の薄型化が強化されて、この筐体４の厚みがロックシリンダ４４の外径より小さい場合であっても、筐体４に無理なくロックシリンダ４４を接続することができる。
【００６８】
さらに、ロックプレート１２を使用しない時は、ロックプレート１２を第１の位置にスライドさせることで、このロックプレート１２を筐体４の内部に格納できる。よって、ロックプレート１２が邪魔にならないとともに、ポータブルコンピュータ１の外観的な面でも好都合となる。
【００６９】
しかも、上記構成によると、ロックプレート１２が第２の位置にスライドされた状態では、スライダ２８の嵌合部３４がロックプレート１２の第２の凹部２６ｂに嵌合し、ロックプレート１２を第２の位置に保持している。加えて、ロックプレート１２に接続されたロックシリンダ４４と筐体４との間には隙間ｇが存在するので、ロックシリンダ４４と筐体４との位置関係が一定に保たれる。
【００７０】
このため、ロックシリンダ４４と筐体４の側壁４ｄとが互いに接触し合うことはなく、筐体４の損傷を防止できる。よって、ポータブルコンピュータ１の体裁を良好に維持することができる。
【００７１】
本実施の形態によると、スライダ２８の嵌合部３４は、ロックプレート１２の第１の凹部２６ａに嵌合することで、ロックプレート１２を第１の位置に保持している。このため、例えばポータブルコンピュータ１を持ち運んでいる最中に、ロックプレート１２が筐体４の外に飛び出すのを防止でき、ロックプレート１２の損傷を回避できる。
【００７２】
それとともに、スライダ２８の嵌合部３４は、第１および第２の凹部２６ａ，２６ｂが形成されたロックプレート１２の側縁１３ａを摺動可能に挟み込んでいる。このため、嵌合部３４とロックプレート１２との位置関係を常に一定に維持することができ、嵌合部３４と第１の凹部２６ａおよび嵌合部３４と第２の凹部２６ｂとの嵌合を精度よく行なえるといった利点がある。
【００７３】
本発明は上記実施の形態に特定されるものではなく、発明の趣旨を逸脱しない範囲内で種々変形して実施可能である。
【００７４】
例えば、ロックプレートを第１の位置に保持するための第１の凹部を省略し、この第１の凹部の代わりに筐体内に磁石を配置してもよい。磁石は、ロックプレートが第１の位置にスライドされた時にロックプレートに吸着し、ロックプレートを第１の位置に保持する。
【００７５】
ロックプレートは、筐体の側方に飛び出すことに限らず、筐体の前方又は後方に飛び出すようにしてもよい。
【００７６】
さらに、ロックプレートは、第１の位置と第２の位置との間でスライドすることに特定されず、例えば第１の位置と第２の位置との間で回動可能に筐体に支持するようにしてもよい。
【産業上の利用可能性】
【００７７】
本発明は、ポータブルコンピュータのような携帯が可能な電子機器に適用することで、筐体の薄型化に貢献するとともに、電子機器の体裁を良好に維持することが可能となる。
【符号の説明】
【００７８】
４…筐体、４ｃ，４ｄ，４ｅ，４ｆ…周壁（側壁、前壁、後壁）、１２…ロックプレート、１８…開口部、２６ａ，２６ｂ…第１および第２の凹部、２７…ストッパ機構、４１…鍵穴、４２…ロック装置、４５…鉤。
【図１】
2011002935.tif 000003
【図２】
2011002935.tif 000004
【図３】
2011002935.tif 000005
【図４】
2011002935.tif 000006
【図５】
2011002935.tif 000007
【図６】
2011002935.tif 000008
【図７】
2011002935.tif 000009
【図８】
2011002935.tif 000010
【図９】
2011002935.tif 000011
【図１０】
2011002935.tif 000012
【手続補正書】
【提出日】平成22年10月20日(2010.10.20)
【手続補正１】
【補正対象書類名】明細書
【補正対象項目名】００１３
【補正方法】変更
【補正の内容】
【００１３】
前記目的を達成するため、本発明の一つの形態に係る電子機器は、
底壁の縁から上方に向けて張り出すように湾曲された周壁を有し、この周壁に開口部が設けられた筐体と、
前記筐体内に格納される第１の位置と、前記開口部から前記筐体の外に突出される第２の位置との間でスライド可能に前記筐体に支持され、前記第２の位置にスライドされた時に前記筐体の外に突出された端部に、盗難防止用のロック装置が接続される鍵穴を有するロックプレートと、
前記ロックプレートが少なくとも前記第２の位置にスライドされた時に、前記ロックプレートを前記第２の位置に保持するストッパ機構と、を備えており、
前記ロックプレートの端部は、前記ロックプレートが前記第１の位置にスライドされた時に、前記周壁の湾曲に伴って前記開口部から前記筐体の下方に向けて露出されたことを特徴としている。
【手続補正２】
【補正対象書類名】明細書
【補正対象項目名】００７６
【補正方法】削除
【補正の内容】
【手続補正３】
【補正対象書類名】明細書
【補正対象項目名】００７８
【補正方法】変更
【補正の内容】
【００７８】
４…筐体、４ａ…底壁、４ｃ，４ｄ，４ｅ，４ｆ…周壁（側壁、前壁、後壁）、１２…ロックプレート、１８…開口部、２６ａ…第１の凹部、２６ｂ…第２の凹部、２７…ストッパ機構、４１…鍵穴、４２…ロック装置、４５…鉤。
【手続補正４】
【補正対象書類名】特許請求の範囲
【補正対象項目名】全文
【補正方法】変更
【補正の内容】
【特許請求の範囲】
【請求項１】
底壁の縁から上方に向けて張り出すように湾曲された周壁を有し、この周壁に開口部が設けられた筐体と、
前記筐体内に格納される第１の位置と、前記開口部から前記筐体の外に突出される第２の位置との間でスライド可能に前記筐体に支持され、前記第２の位置にスライドされた時に前記筐体の外に突出された端部に、盗難防止用のロック装置が接続される鍵穴を有するロックプレートと、
前記ロックプレートが少なくとも前記第２の位置にスライドされた時に、前記ロックプレートを前記第２の位置に保持するストッパ機構と、を具備し、
前記ロックプレートの端部は、前記ロックプレートが前記第１の位置にスライドされた時に、前記周壁の湾曲に伴って前記開口部から前記筐体の下方に向けて露出されたことを特徴とする電子機器。
【請求項２】
請求項１の記載において、前記ロックプレートが前記第１の位置にスライドされた時に、前記鍵穴の一部が前記開口部を通じて前記筐体の下方に露出されたことを特徴とする電子機器。
【請求項３】
請求項２の記載において、前記ロックプレートは、そのスライド方向に沿う側縁と、この側縁に形成された凹部とを有し、前記ストッパ機構は、前記ロックプレートが前記第２の位置にスライドされた時に、前記凹部に嵌合することで前記ロックプレートのスライドを制限する嵌合部を有することを特徴とする電子機器。
【請求項４】
請求項３の記載において、前記ストッパ機構は、前記嵌合部を前記ロックプレートに向けて付勢する弾性部材を含むことを特徴とする電子機器。
【請求項５】
請求項４の記載において、前記ロックプレートの凹部は、前記ロックプレートを前記第２の位置から前記第１の位置に向けてスライドさせた時に前記嵌合部に当たる縁部を有し、この縁部は、前記第２の位置から前記第１の位置に向かう前記ロックプレートのスライドに伴って前記嵌合部を前記凹部から押し出す方向に傾斜されたことを特徴とする電子機器。
【請求項６】
請求項１又は請求項２の記載において、前記筐体の前記底壁から突出されて、前記ロックプレートが摺動可能に載置された複数のガイドレールと、前記ロックプレートを前記ガイドレールとの間で摺動可能に挟み込む保持板をさらに備えていることを特徴とする電子機器。
【請求項７】
請求項１又は請求項２の記載において、前記第２の位置にスライドされた前記ロックプレートの前記鍵穴に前記ロック装置を接続した状態では、前記ロック装置と前記筐体の前記周壁との間に隙間が設けられたことを特徴とする電子機器。
【請求項８】
底壁の縁から上方に向けて張り出すように湾曲された周壁を有し、この周壁に開口部が設けられた筐体と、
前記筐体内に格納される第１の位置と、前記開口部から前記筐体の外に突出される第２の位置との間でスライド可能に上記筐体に支持され、前記第２の位置にスライドされた時に前記筐体の外に突出された端部に、盗難防止用のロック装置が接続される鍵穴を有するとともに、スライド方向に沿う側縁に第１の凹部および第２の凹部が形成されたロックプレートと、
前記ロックプレートが前記第１の位置にスライドされた時に前記第１の凹部に嵌合することで前記ロックプレートを前記第１の位置に保持し、前記ロックプレートが前記第２の位置にスライドされた時に前記第２の凹部に嵌合することで前記ロックプレートを前記第２の位置に保持するストッパ機構と、を具備し、
前記ロックプレートの端部は、前記ロックプレートが前記第１の位置にスライドされた時に、前記周壁の湾曲に伴って前記開口部から前記筐体の下方に向けて露出されたことを特徴とする電子機器。
【請求項９】
請求項８の記載において、前記ストッパ機構は、前記ロックプレートの前記第１の凹部又は前記第２の凹部に嵌合することで前記ロックプレートのスライドを制限する嵌合部と、この嵌合部を前記ロックプレートに向けて付勢する弾性部材と、を含むことを特徴とする電子機器。
【請求項１０】
請求項９の記載において、前記ロックプレートの前記第１の凹部は、前記ロックプレートを前記第１の位置から前記第２の位置に向けてスライドさせた時に前記嵌合部に当たる縁部を有し、この縁部は、前記第１の位置から前記第２の位置に向かう前記ロックプレートのスライドに伴って前記嵌合部を前記第１の凹部から押し出す方向に傾斜されているとともに、
前記ロックプレートの前記第２の凹部は、前記ロックプレートを前記第２の位置から前記第１の位置に向けてスライドさせた時に前記嵌合部に当たる縁部を有し、この縁部は、前記第２の位置から前記第１の位置に向かう前記ロックプレートのスライドに伴って前記嵌合部を前記第２の凹部から押し出す方向に傾斜されたことを特徴とする電子機器。
【請求項１１】
底壁の縁から上方に向けて張り出すように湾曲された周壁を有し、この周壁に開口部が設けられた筐体と、
前記筐体内に格納される第１の位置と、前記開口部から前記筐体の外に突出される第２の位置との間でスライド可能であるとともに、前記第１の位置および前記第２の位置に夫々保持可能に前記筐体に支持され、前記第２の位置にスライドされた時に前記筐体の外に突出された端部に、ロック装置が接続される穴を有するロックプレートと、を具備し、
前記ロックプレートの端部は、前記ロックプレートが前記第１の位置にスライドされた時に、前記開口部から前記筐体の下方に向けて露出されたことを特徴とする電子機器。
【請求項１２】
湾曲された周壁を有し、この周壁に開口部が設けられた筐体と、
ロック装置が接続される穴が設けられた端部を有し、前記端部が前記開口部から露出されるとともに前記端部以外の部分が前記筐体内に格納される第１の位置と、前記端部が前記第１の位置よりも前記開口部から前記筐体の外に突出される第２の位置との間でスライド可能に前記筐体に支持されたロックプレートと、を具備したことを特徴とする電子機器。
【手続補正５】
【補正対象書類名】図面
【補正対象項目名】図３
【補正方法】変更
【補正の内容】
【図３】
2011002935.tif 000013
【手続補正６】
【補正対象書類名】図面
【補正対象項目名】図１０
【補正方法】変更
【補正の内容】
【図１０】
2011002935.tif 000014